(57)【要約】【課題】紐を結ぶ作業が不要であり、投入量を明確にして紐を締結し易いようにする。【解決手段】袋１０と、袋１０内に古新聞を所定量収納してクロス掛けした状態でその外周長と略等しい長さからなるループ状紐２０と、からなる。ループ状紐２０の一部は、袋１０に糊付けされている。袋１０には適正収納量表示手段として、一対の側板１１，１３の側面高さを規定する。一対の側板１１，１３の側面高さと隣接する他側板１２，１４との角部１５の上部に切込部１５ａを形成する。【選択図】図１
0003104209.tif 000002
【実用新案登録請求の範囲】
【請求項１】
袋と、袋内に古新聞を所定量収納してクロス掛けした状態でその外周長と略等しい長さからなるループ状紐と、からなることを特徴とする古新聞用袋。
【請求項２】
ループ状紐の少なくとも一部は、袋に装着されていることを特徴とする請求項１記載の古新聞用袋。
【請求項３】
ループ状紐の少なくとも一部は、弾性体からなることを特徴とする請求項１又は請求項２記載の古新聞用袋。
【請求項４】
袋は、適正収納量表示手段を具備することを特徴とする請求項１乃至３記載のいずれかの古新聞用袋。
【請求項５】
袋の水平断面は長方形で、その内の少なくとも一側板の側面高さが、適正収納量表示手段を構成することを特徴とする請求項４記載の古新聞用袋。
【請求項６】
一対の側板の側面高さが、適正収納量表示手段を構成することを特徴とする請求項５記載の古新聞用袋。
【請求項７】
一対の側板の側面高さと隣接する他側板との角部の上部に、切込部が形成されていることを特徴とする請求項６記載の古新聞用袋。
【請求項８】
他側板の上部は、ループ状紐が掛けられたとき、古新聞紙の上面の少なくとも一部を覆うカバー部が形成されていることを特徴とする請求項７記載の古新聞用袋。
【考案の詳細な説明】
【技術分野】
【０００１】
本考案は、古新聞を収納する古新聞用袋に関するものである。
【背景技術】
【０００２】
従来、古新聞用袋は、特許文献１或いは特許文献２に示されているように、公知である。即ち、特許文献１には古新聞用収納袋と紐とを組み合わせた古新聞紙整理用具が示されている。また、特許文献２には、新聞、雑誌等の整理、梱包が同時にできる袋として、袋と紐との組み合わせが示されている。
【０００３】
しかしながら、上記公知のいずれのものも、古新聞用収納袋に古新聞が投入された状態で紐を結ぶ作業が必要であり、また、紐を結び易い投入量がどの程度であるのかが明確でなく、このことが紐を結ぶ作業を煩わしいものとしていた。
【０００４】
【特許文献１】実開昭５８−１５７６７９号公報
【特許文献２】実開昭６１−１１５０５号公報
【考案の開示】
【考案が解決しようとする課題】
【０００５】
したがって、本考案は、上記従来技術の問題点を解消することを課題とするもので、紐付きの古新聞用収納袋において、紐を結ぶ作業が不要であり、また、投入量を明確にして、紐を締結し易いようにすることにある。
【課題を解決するための手段】
【０００６】
そこで、上記課題を解決するための手段として、下記の手段を講じた。
請求項１記載の古新聞用袋は、袋１０と、袋内に古新聞を所定量収納してクロス掛けした状態でその外周長と略等しい長さからなるループ状紐２０と、からなることを特徴とする。
請求項２記載の古新聞用袋は、上記手段において、ループ状紐２０の少なくとも一部は、袋１０に装着されていることを特徴とする。
請求項３記載の古新聞用袋は、上記請求項１又は請求項２記載の手段において、ループ状紐２０の少なくとも一部は、弾性体からなることを特徴とする。
請求項４記載の古新聞用袋は、上記請求項１乃至３記載のいずれかの手段において、袋１０は、適正収納量表示手段を具備することを特徴とする。
請求項５記載の古新聞用袋は、上記請求項４記載の手段において、袋１０の水平断面は長方形で、その内の少なくとも１側板１１の側面高さが、適正収納量表示手段を構成することを特徴とする。
請求項６記載の古新聞用袋は、上記請求項５記載の手段において、一対の側板１１，１３の側面高さが、適正収納量表示手段を構成することを特徴とする。
請求項７記載の古新聞用袋は、上記請求項６記載の手段において、一対の側板１１，１３の側面高さと隣接する他側板１２，１４との角部１５の上部に、切込部１５ａが形成されていることを特徴とする。
請求項８記載の古新聞用袋は、上記請求項７記載の手段において、他側板１２，１４の上部は、ループ状紐２０が掛けられたとき、古新聞紙の上面の少なくとも一部を覆うカバー部１２ａ，１４ａが形成されていることを特徴とする。
【考案の効果】
【０００７】
本考案は、紐付きの古新聞用収納袋において、紐を結ぶ作業が不要となる。また、投入量が明確になり、紐が締結し易くなる。また、ループ状紐の少なくとも一部を弾性体とすることで、その掛渡し作業が容易になる。更に、角部の上部に切込部を形成することで、古新聞の投入が容易になる。また、カバー部が形成されていることで、古新聞の上面を損傷させず、また、雨水等から保護することができる。
【考案を実施するための最良の形態】
【０００８】
以下、本考案を実施するための最良の形態を図面に基づいて説明する。図１は、その考案に係る古新聞用袋の使用準備状態の斜視図、図２は古新聞投入後の紐を締結するための第１段階の斜視図、図３はその第２段階の斜視図、図４はその第３段階の斜視図、図５はその最終段階の斜視図である。尚、図２−５は、投入された古新聞は記載が省略されている。
【０００９】
実施例に係る古新聞用袋は、上面が解放された紙製で箱状の袋１０と、該袋１０に糊付けされた（取付部２１）ループ状紐２０からなる。  
（袋１０）
袋１０は、紙製で、底板、第１側板１１、第２側板１２、第３側板１３及び第４側板１４からなり、使用前の状態では折り畳まれているが、図１に示すように、使用準備状態では、全体として直方体形状で上面が開放されている。
以下、この状態で以下説明する。この状態では、水平断面が公知の古新聞用袋と同じ大きさの長方形状に形成されている（４つ折状態）。そして、相対する第１側板１１及び第３側板１３の上辺部１１ａ，１３ａの高さは、古新聞用袋の適正最終収納量の高さに設計されており、第２側板１２及び第４側板１４の上辺部１２ａ，１４ａは、上辺部１１ａ，１３ａより高く形成され、その高い部分がカバー部１２ｂ、１４ｂを構成している。更に、各側板間の角部１５の上部は、切込部１５ａが形成されている。
【００１０】
（ループ状紐２０）
ループ状紐２０は、袋１０内に古新聞を所定量、即ち、第１側板１１及び第３側板１３の上辺部１１ａ，１３ａの高さまで収納し（適正最終収納量）、クロス掛けした状態でその外周長と略等しい長さに設計されている。その素材は、安価で耐引張力が大のものが好ましく、特にＰＰ（ポリプロピレン）のテープが好ましい。そして、図１に示すように、このループ状紐２０は折り曲げられて、第２側板１２、底板（図示せず）及び第４側板１４に取り外し可能に糊付けされている（取付部２１を構成）。なお、糊付け位置は、図面に示す位置の外、第２側板１２、底板（図示せず）及び第４側板１４の左右方向の中央部分等いかなる部分でも良い。
【００１１】
（使用方法）
次に、使用方法を図面に従って説明する。
先ず、適宜折り畳まれた状態の本考案に係る古新聞用袋を、図１に示すような使用準備状態とする。この状態では、ループ状紐２０は袋１０に糊付けされたままである。
【００１２】
古新聞が投入され、略満杯（最終収納量）になったら、図２に示すように、ループ状紐２０を袋１０から取外す（一部、糊付けのままでもよい）。
次に、図３に示すように、一回ひねって、図４に示すように、直角方向にかけまわし十文字にする。この状態でループ状紐２０の締結状態が緩い場合は、更に、古新聞を追加してもよい。図５はその最終段階を示している。
【００１３】
（その他）
なお、ループ状紐２０は、基本的には伸縮性は不要であるが、ある程度伸縮性があるほうがかけまわし（図４）作業が容易となる。しかし、伸縮性が大きすぎるとその後の取り扱い（ループ状紐２０を持った状態での運搬作業等）が不便になる。
【産業上の利用可能性】
【００１４】
本考案は、古新聞用袋としてばかりでなく、古雑誌、ゴミ等の収集・整理用の袋としても使用が可能である。
【図面の簡単な説明】
【００１５】
【図１】本考案に係る古新聞用袋の使用準備状態の斜視図。
【図２】古新聞投入後の締結の第１段階の斜視図。
【図３】締結の第２段階の斜視図。
【図４】締結の第３段階の斜視図。
【図５】締結の最終段階の斜視図。
【符号の説明】
【００１６】
１０・・袋
１１・・第１側板  １１ａ・・上辺部１１ａ
１２・・第２側板  １２ａ・・上辺部１２ａ  １２ｂ・・カバー部
１３・・第３側板，１３ａ・・上辺部１３ａ
１４・・第４側板  １４ａ・・上辺部１４ａ  １４ｂ・・カバー部
１５・・角部  １５ａ・・切込部
２０・・ループ状紐  ２１・・取付部
【図１】
0003104209.tif 000003
【図２】
0003104209.tif 000004
【図３】
0003104209.tif 000005
【図４】
0003104209.tif 000006
【図５】
0003104209.tif 000007